(57)【要約】【課題】美観を損ねることなく光を透過させることができる装飾板を提供する。【解決手段】装飾板１００は、装飾基材１０１を第１挟持体１０２と第２挟持体１０３とで挟んで構成されている。装飾基材１０１は、光の一部を遮断するとともに他の一部を透過させる半透光性を有した注染染めの浴衣生地で構成されている。第１挟持体１０２および第２挟持体１０３は、透光性を有する樹脂材で構成されている。これらの第１挟持体１０２および第２挟持体１０３は、各外側面に微細な凹凸からなる梨地面が形成されており、全体として半透明に形成されている。そして、これらの第１挟持体１０２および第２挟持体１０３は、装飾基材１０１に密着した状態で装飾基材１０１を挟んで保持している。【選択図】  図３
2018149749.tif 000002
【特許請求の範囲】
【請求項１】
光の一部を遮断するとともに他の一部を透過させる半透光性を有するシートで構成された装飾基材と、
前記装飾基材の一方の面に密着した状態で配置される第１挟持体と、
前記装飾基材の他方の面に密着した状態で配置されて前記装飾基材を前記第１挟持体と挟んで保持する第２挟持体とを備え、
前記第１挟持体および前記第２挟持体は、
それぞれ透光性を有するとともに、少なくとも一方が半透明体で構成されていることを特徴とする装飾板。
【請求項２】
請求項１に記載した装飾板において、
前記第１挟持体および前記第２挟持体は、
それぞれ半透明体で構成されていることを特徴とする装飾板。
【請求項３】
請求項１または請求項２に記載した装飾板において、
前記第１挟持体および前記第２挟持体は、
前記装飾基材側となる内側面が平滑面で構成されるとともに前記内側面の反対側で外側に面する外側面が細かな凹凸面で構成されていることを特徴とする装飾板。
【請求項４】
請求項１ないし請求項３のうちのいずれか１つに記載した装飾板において、
前記第１挟持体および前記第２挟持体は、
それぞれ３ｍｍ以下の厚さの樹脂板で構成されていることを特徴とする装飾板。
【請求項５】
請求項１ないし請求項４のうちのいずれか１つに記載した装飾板において、
前記装飾基材は、
注染染めの生地で構成されていることを特徴とする装飾板。
【請求項６】
請求項１ないし請求項５のうちのいずれか１つに記載した装飾板において、
前記装飾基材は、
浴衣生地、のれん生地または手拭い生地で構成されていることを特徴とする装飾板。
【発明の詳細な説明】
【技術分野】
【０００１】
本発明は、鑑賞用、または室内または屋外の空間の装飾に用いられる板状の装飾板に関する。
【背景技術】
【０００２】
従来から、鑑賞用または室内の装飾用として用いらえる装飾板がある。例えば、下記特許文献１には、織物を２つの透明なガラス板で挟んだ装飾パネル（装飾板）が開示されている。
【先行技術文献】
【特許文献】
【０００３】
【特許文献１】登録実用新案第３１８７４７３号公報
【０００４】
しかしながら、上記特許文献１に記載された装飾板においては、装飾板の表側と裏側との間で光を透過させることは想定されておらず、光を透過させたい建具、家具または照明器具などにおいては使用できないという問題がある。また、装飾板に透光性を持たせると２つのガラス板を接着する接着剤、または２つの板状体で挟んだ装飾基材のヨレ、シワ、浮きまたは解れ（ほつれ）が目立ち美観が損なわれるおそれがあるという問題があった。
【０００５】
本発明は上記問題に対処するためなされたもので、その目的は、美観を損ねることなく光を透過させることができる装飾板を提供することにある。
【発明の概要】
【０００６】
上記目的を達成するため、本発明の特徴は、光の一部を遮断するとともに他の一部を透過させる半透光性を有するシートで構成された装飾基材と、装飾基材の一方の面に密着した状態で配置される第１挟持体と、装飾基材の他方の面に密着した状態で配置されて装飾基材を第１挟持体と挟んで保持する第２挟持体とを備え、第１挟持体および第２挟持体は、それぞれ透光性を有するとともに、少なくとも一方が半透明体で構成されていることにある。
【０００７】
ここで、装飾基材としては、織物、不織布、またはレース（刺繍、手編みまたは手織りなど）などの布地、樹脂製のシート（フィルムを含む）または紙材（和紙など）を採用することができる。また、半透明は、装飾基材が密着した場合に装飾基材の柄が視認でき、装飾基材が密着せず離隔した状態では装飾基材の柄がぼやけて不鮮明になる程度の透明さで梨地またはシボなどの微小な凹凸のほか、くもり、乳白色、すりガラス風、サンドブラスト加工を施した程度の半透明さである。
【０００８】
このように構成した本発明の特徴によれば、装飾板は、装飾基材およびこの装飾基材を挟む第１挟持体および第２挟持体がそれぞれ透光性を有して構成されているため、装飾板の一方の面側と他方の面側との間で光を透過させることができる。また、本発明に係る装飾板は、透光性を有する第１挟持体および第２挟持体のうちの少なくとも一方が半透明体で構成されているため、半透明体からなる第１挟持体および／または第２挟持体に装飾基材を密着させた場合に装飾基材の柄を視認可能にしつつ第１挟持体と第２挟持体とを接着する接着剤、または装飾基材のヨレ、シワ、浮きまたは解れ（ほつれ）などの欠点を目立ち難くさせて美観が損なわれることを防止することができる。
【０００９】
なお、本発明に係る装飾板は、単体で飾られて観賞用として用いられるほか、戸、ドア、障子または襖などの建具、壁、パーティション、照明器具における発光部を覆う部品、または食器棚、本棚、テーブルまたは椅子などの家具などに組み込まれてこれらを装飾する部品として用いられる。
【００１０】
また、本発明の他の特徴は、前記装飾板において、第１挟持体および第２挟持体は、それぞれ半透明体で構成されていることにある。
【００１１】
このように構成した本発明の他の特徴によれば、装飾板は、第１挟持体および第２挟持体がそれぞれ半透明体で構成されているため、両面を人が見る表面として用いることができる。また、装飾体は、人が見る表面が両面のうちの片方の面であったとしても、その表面が汚損した場合には装飾板の表裏を裏返すことで裏面を表面として再度用いることができ使用年数を長くすることができる。
【００１２】
また、本発明の他の特徴は、前記装飾板において、第１挟持体および第２挟持体は、装飾基材側となる内側面が平滑面で構成されるとともに内側面の反対側で外側に面する外側面が細かな凹凸面で構成されていることにある。ここで、凹凸面とは、シボまたは梨地など微小な凹凸面であり、人が触った際にザラザラした触覚を関実程度の凹凸である。
【００１３】
このように構成した本発明の他の特徴によれば、装飾板は、第１挟持体および第２挟持体が装飾基材側となる内側面が平滑面で構成されるとともにこの内側面の反対側で外側に面する外側面が細かな凹凸面で構成されているため、装飾基材の柄の視認性を確保しつつ前記欠点をより効果的に目立ち難くして美観を維持させることができる。
【００１４】
また、本発明の他の特徴は、前記装飾板において、第１挟持体および第２挟持体は、それぞれ３ｍｍ以下の厚さの樹脂板で構成されていることにある。
【００１５】
このように構成した本発明の他の特徴によれば、装飾板は、第１挟持体および前記第２挟持体がそれぞれ３ｍｍ以下の厚さの樹脂板で構成されているため、透光性および装飾基材の視認性を損ねることなく美観を維持することができる。
【００１６】
また、本発明の他の特徴は、前記装飾板において、装飾基材は、注染染めの生地で構成されていることにある。
【００１７】
このように構成した本発明の他の特徴によれば、装飾板は、装飾基材が注染染めの生地で構成されているため、良好な通気性で透光性を確保できるとともに表裏で柄が同じ濃さで現れて裏表がなく装飾板の両面をそれぞれ表面として使用することができる。
【００１８】
また、本発明の他の特徴は、前記装飾板において、装飾基材は、浴衣生地、のれん生地または手拭い生地で構成されていることにある。
【００１９】
このように構成した本発明の他の特徴によれば、装飾板は、装飾基材が浴衣生地、のれん生地または手拭い生地で構成されているため、使用者の好みに応じた美観の装飾板をリーズナブルに構成することができる。
【００２０】
なお、装飾基材は、古着地で構成することができる。これによれば、装飾板は、使用が困難となった愛着のある服や形見の服などを構成する布地を装飾基材として用いることで古着を有効活用することができる。
【図面の簡単な説明】
【００２１】
【図１】本発明の一実施形態に係る装飾板の外観構成を概略的に示す正面図である。
【図２】図１に示す装飾板の内部構成を概略的に示す底面図である。
【図３】図１に示す装飾板を構成する部品を分解した分解斜視図である。
【図４】図１に示す装飾板を照明カバーとして用いた照明器具の外観構成を概略的に示す斜視図である。
【図５】図１に示す装飾板を組み込んだ戸の外観構成を概略的に示す正面図である。
【図６】図１に示す装飾板を組み込んだ障子の外観構成を概略的に示す正面図である。
【発明を実施するための形態】
【００２２】
以下、本発明に係る装飾板の一実施形態について図面を参照しながら説明する。図１は、本発明に係る装飾板１００の外観構成を概略的に示す正面図である。また、図２は、図１に示す装飾板１００の内部構成を概略的に示す底面図である。また、図３は、図１に示す装飾板１００を構成する部品を分解した分解斜視図である。なお、本明細書において参照する図は、本発明の理解を容易にするために一部の構成要素を誇張して表わすなど模式的に表している。このため、各構成要素間の寸法や比率などは異なっていることがある。この装飾板１００は、行燈からなる照明器具２００において発光部の四方を囲む方形板状の火覆いを構成している。
【００２３】
（装飾板１００の構成）
装飾板１００は、装飾基材１０１を備えている。装飾基材１０１は、装飾板１００を装飾するための部品であり、光の一部を遮断するとともに他の一部を透過させる半透光性を有したシート状に形成されている。具体的には、装飾基材１０１は、入射した光の一部を透過させるための無数の微細な貫通孔や網目、または薄手に形成された織物、不織布、またはレース（刺繍、手編みまたは手織りなど）などの布地、樹脂製のシート（フィルムを含む）または紙材（和紙など）などで構成することができる。本実施形態においては、装飾基材１０１は、注染染めされた浴衣、のれんまたは手拭い用の生地で構成されている。この場合、装飾基材１０１を構成する布地は、装飾板１００の使用者の好みに応じた生地および柄で構成することができる。
【００２４】
この装飾基材１０１は、正面視における大きさが後述する第１挟持体１０２および第２挟持体１０３の各板面と同じ大きさ以下に形成されているとともに、厚さが０.２ｍｍ〜３ｍｍの範囲で形成されている。本実施形態においては、装飾基材１０１は、第１挟持体１０２および第２挟持体１０３の各板面と同じ大きさで厚さが１ｍｍの布地（織物）で構成されている。この装飾基材１０１は、図示しない接着剤によって第１挟持体１０２および第２挟持体１０３にそれぞれ貼り付けられている。
【００２５】
第１挟持体１０２および第２挟持体１０３は、前記装飾基材１０１の両面にそれぞれ密着して装飾基材１０１を挟んで保持するための部品であり、透光性を有する半透明な板状体でそれぞれ構成されている。より具体的には、第１挟持体１０２および第２挟持体１０３は、２つの透明な樹脂製（例えば、ポリスチレン樹脂）の板状体でそれぞれ構成されている。
【００２６】
この場合、第１挟持体１０２および第２挟持体１０３は、装飾基材１０１に密着する各内側面１０２ａ，１０３ａが平滑に形成されるとともに、これらの内側面の反対外で外側に面する外側面１０２ｂ，１０３ｂが複数の微細な凹凸が形成された梨地状に形成されている。これにより、第１挟持体１０２および第２挟持体１０３は、透光性を有する半透明状に形成される。なお、図２においては、外側面１０２ｂ，１０３ｂにおける梨地面を凸凹の線で表している。
【００２７】
また、第１挟持体１０２および第２挟持体１０３は、厚さが０.５ｍｍ〜５ｍｍの範囲で形成されている。この場合、第１挟持体１０２および第２挟持体１０３の各厚さは、装飾基材１０１の厚さ以上の厚さに形成されているとよい。本実施形態においては、第１挟持体１０２および第２挟持体１０３の各厚さは、２ｍｍに形成されている。そして、これらの第１挟持体１０２および第２挟持体１０３は、装飾基材１０１を接着するための前記接着剤によって互いに貼り付けられている。
【００２８】
（装飾板１００の製造）
次に、このように構成した装飾板１００の製造過程について説明する。装飾板１００を製造する作業者は、まず、第１挟持体１０２および第２挟持体１０３をそれぞれ用意する。具体的には、作業者は、四辺が装飾板１００の完成時の大きさよりも大きな方形の板状体をそれぞれ用意する。この場合、第１挟持体１０２および第２挟持体１０３は、内側面１０２ａ，１０３ａが平滑に形成されており、外側面１０２ｂ，１０３ｂが梨地状に形成されている。
【００２９】
次に、作業者は、装飾基材１０１を用意する。具体的には、作業者は、注染染めされた反物または注染染めされた布地からなる浴衣を用意して四辺が装飾板１００の完成時の大きさよりも大きな方形状に裁断する。この場合、装飾基材１０１は、四辺が装飾板１００の完成時の大きさよりも大きく形成されていればよく、第１挟持体１０２および第２挟持体１０３よりも小さくても、同じ大きさでも、または大きくてもよい。
【００３０】
次に、作業者は、装飾基材１０１を第１挟持体１０２と第２挟持体１０３とで挟んで保持させる。具体的には、作業者は、第１挟持体１０２（または第２挟持体１０３）の内側面１０２ａ（または内側面１０３ａ）上に図示しない接着剤を塗布した後、この内側面１０２ａ（または内側面１０３ａ）上に装飾基材１０１を載置して貼り付ける。
【００３１】
次いで、作業者は、第１挟持体１０２（または第２挟持体１０３）上に貼り付けた装飾基材１０１または第２挟持体１０３（または第１挟持体１０２）の内側面１０３ａ（または内側面１０２ａ）上に図示しない接着剤を塗布した後、装飾基材１０１上に第２挟持体１０３（または第１挟持体１０２）の内側面１０３ａ（または内側面１０２ａ）を載置して貼り付ける。これにより、装飾基材１０１は、両面が第１挟持体１０２および第２挟持体１０３にそれぞれ密着した状態で挟まれて保持される。
【００３２】
次に、作業者は、装飾基材１０１を挟んだ状態の第１挟持体１０２および第２挟持体１０３の大きさを装飾板１００の最終的な大きさに整える。具体的には、作業者は、パネルソー、丸鋸盤または電気丸鋸（手持ち型丸鋸）を用いて装飾基材１０１を挟んだ第１挟持体１０２および第２挟持体１０３の各四辺をそれぞれ切断して所望の大きさに整える。この場合、装飾基材１０１、第１挟持体１０２および第２挟持体１０３は、装飾板１００の最終的な大きさ以上の大きさに形成されているとともに装飾基材１０１、第１挟持体１０２および第２挟持体１０３が一体的に形成されているため、各部品の位置ずれを生じさせることなく互いに同じ大きさに切断して形状を成形することができる。
【００３３】
（装飾板１００の作動）
次に、このように構成した装飾板１００の作動について説明する。この装飾板１００は、行燈型の照明器具２００において発光部（図示せず）の周囲を覆う照明カバーとして用いられる。この場合、照明器具２００は、主として、発光部、基台２０１、支柱２０２、支柱支持枠２０３および蓋２０４を備えて構成されている。
【００３４】
発光部は、家庭用電源（１００Ｖ）から電気の供給を受けて光を発する光源であり、白熱電球、ＬＥＤ電球または蛍光灯などで構成されている。基台２０１は、電球を支持するための部品であり、樹脂材、木材または金属材を板状に形成して構成されている。本実施形態においては、基台２０１は、平面視で正方形状に形成されている。
【００３５】
支柱２０２は、装飾板１００を支持するための部品であり、樹脂材、木材または金属材を棒状に形成して構成されている。この支柱２０２は、基台２０１における電球の周囲を囲むように起立した状態で基台２０１上に複数（本実施形態においては４つ）設けられている。この場合、各支柱２０２における互いに対向する側面には、装飾板１００を挿し込むための溝（図示せず）がそれぞれ形成されている。
【００３６】
したがって、装飾板１００は、４つの装飾板１００が４つの支柱２０２間にそれぞれ起立した姿勢で挿し込まれて支持されている。この場合、各装飾板１００は、第１挟持体１０２および第２挟持体１０３のうちのどちらを発光部側に向けて配置してもよい。
【００３７】
支柱支持枠２０３は、基台２０１上に起立する４つの支柱２０２を互いに連結して支持するための部品であり、樹脂材、木材または金属材を平面視で方形枠状に形成して構成されている。蓋２０４は、支柱支持枠２０３の上方を覆うための部品であり、樹脂材、木材または金属材を平面視で正方形の板状に形成して構成されている。この場合、蓋２０４の中央部には、装飾板１００で囲まれた内部領域に連通する貫通孔が形成されている。
【００３８】
このように構成された照明器具２００は、図示しない電源コードを家庭用電源に繋ぐことにより発光部を点灯させることができる。この場合、発光部の周囲に設けられて照明カバーとして機能する装飾板１００は、装飾板１００全体として半透光性を有しているため、照明器具２００の発光部が発する光を和らげつつ透過させる。これにより、照明器具２００は、照明器具２００の周囲を照らすことができる。
【００３９】
この場合、各装飾板１００は、照明器具２００の外側に面する第１挟持体１０２または第２挟持体１０３がこれらの各背面に設けられた発光部から照らされた状態となるが、各外側面１０２ｂ，１０３ｂに形成された梨地面によって第１挟持体１０２と第２挟持体１０３とを接着する接着剤、または装飾基材１０１のヨレ、シワ、浮きまたは解れ（ほつれ）などの欠点を目立ち難くさせることができる。
【００４０】
上記作動説明からも理解できるように、上記実施形態によれば、装飾板１００は、装飾基材１０１およびこの装飾基材１０１を挟む第１挟持体１０２および第２挟持体１０３がそれぞれ透光性を有して構成されているため、装飾板１００の一方の面側と他方の面側との間で光を透過させることができる。また、本発明に係る装飾板１００は、透光性を有する第１挟持体１０２および第２挟持体１０３が半透明体で構成されているため、半透明体からなる第１挟持体１０２および第２挟持体１０３に装飾基材１０１を密着させた場合に装飾基材１０１の柄を視認可能にしつつ第１挟持体１０２と第２挟持体１０３とを接着する接着剤、または装飾基材１０１のヨレ、シワ、浮きまたは解れ（ほつれ）などの欠点を目立ち難くさせて美観が損なわれることを防止することができる。
【００４１】
さらに、本発明の実施にあたっては、上記実施形態に限定されるものではなく、本発明の目的を逸脱しない限りにおいて種々の変更が可能である。
【００４２】
例えば、上記実施形態においては、装飾板１００は、照明器具２００における照明カバーとして用いた。しかし、装飾板１００は、他の物品、戸、ドア、障子または襖などの建具、壁、パーティション、照明器具における発光部を覆う部品、または食器棚、本棚、テーブルまたは椅子などの家具などに組み込まれてこれらを装飾する部品として用いることができる。図６は、１つの装飾板１００を戸３００に組み込んだ例を示している。この場合、装飾板１００は、戸３００を貫通した状態で組み込まれる。また、図７は、６つの装飾板１００を障子４００の各格子内に和紙の代替物として組み込んだ例を示している。
【００４３】
また、装飾板１００は、屋根の天窓、壁の一部、皿やコップなどの食器の一部に組み込まれてこれらを装飾する部品として用いることができる。また、装飾板１００は、単体で用いることもできる。例えば、装飾板１００は、皿やコースタなどの食器として用いることができる。また、装飾板１００は、単体で飾られて観賞用として用いることもできる。
【００４４】
また、装飾板１００は、平面板のほか、曲面を有していてもよい。また、装飾板１００の形状も長方形や正方形などの方形以外の形状、例えば、三角形や六角形などの多角形のほか、円、楕円、またはこれらを組み合わせた異形形状に形成することができる。
【００４５】
また、上記実施形態においては、第１挟持体１０２および第２挟持体１０３の各外側面１０２ｂ，１０３ｂをそれぞれ梨地面に形成することにより全体として半透明体で構成した。しかし、第１挟持体１０２および第２挟持体１０３は、人が見る面が半透明に形成されていればよい。したがって、第１挟持体１０２および第２挟持体１０３は、少なくとも一方が半透明体で構成されていればよい。また、第１挟持体１０２および／または第２挟持体１０３を半透明体とする場合、梨地面のほか、複数の細かなシワからなるシボ、くもり、乳白色、すりガラス風、サンドブラスト加工を施して半透明体とすることができる。
【００４６】
また、上記実施形態においては、第１挟持体１０２と第２挟持体１０３とを互いに同じ大きさに形成した。しかし、第１挟持体１０２および第２挟持体１０３は、少なくとも装飾基材１０１と同じまたはそれ以上の大きさに形成されていればよい。したがって、第１挟持体１０２および第２挟持体１０３は、一方が他方に対して大きく形成されていてもよい。
【００４７】
また、上記実施形態においては、第１挟持体１０２および第２挟持体１０３は、ポリスチレン樹脂材で構成した。しかし、第１挟持体１０２および第２挟持体１０３は、透光性を有していればよく、他の樹脂材、例えば、アクリル樹脂材、塩化ビニール樹脂材、ポリエステル樹脂材またはポリカーボネート樹脂材を用いることができるとともに、樹脂材以外の材料、例えば、ガラス材で構成することができる。これらの場合、第１挟持体１０２および第２挟持体１０３は、無色透明体のほか、有色の透明体で構成することできる。
【００４８】
また、上記実施形態においては、装飾基材１０１を注染染めの浴衣地で構成した。しかし、装飾基材１０１は、半透光性を有する布地で構成されていればよく、注染染め以外の染物や着色手法（例えば、プリンンとなど）や浴衣地以外の布地、例えば、織物、編み物（メリヤス生地）、レース、フェルトまたは不織布で構成することができる。また、装飾基材１０１を構成する原糸も天然繊維（例えば、木綿、絹、麻、モヘヤ、ウールなど）、再生繊維（例えば、再生ポリエステル、アセテート、レーヨン）、合成繊維（例えば、ナイロン、ポリウレタン、ポリエステル）を用いることができる。
【００４９】
また、装飾基材１０１は、古着で構成することができる。この場合、装飾基材１０１を構成する古着としては、着物（和服）Ｋのほか、洋服、タオルまたはカーテンなどを構成する布地（皮革を含む）であってもよい。なお、装飾基材１０１は、古着ではなく、装飾基材１０１として新規の縫製した布地であってもよいことは当然である。
【００５０】
また、装飾基材１０１は、布地のほか、樹脂製のシート（フィルムを含む）または紙材（和紙など）を採用することができる。
【符号の説明】
【００５１】
１００…装飾板、１０１…装飾基材、１０２…第１挟持体、１０２ａ…内側面、１０２ｂ…外側面、１０３…第２挟持体、１０３ａ…内側面、１０３ｂ…外側面、
２００…照明器具、２０１…基台、２０２…支柱、２０３…支柱支持枠、２０４…蓋、
３００…戸、
４００…障子。
【図１】
2018149749.tif 000003
【図２】
2018149749.tif 000004
【図３】
2018149749.tif 000005
【図４】
2018149749.tif 000006
【図５】
2018149749.tif 000007
【図６】
2018149749.tif 000008